(57)【要約】【課題】  鉄筋のマス目が配されていない未打設部についても残数量を算出でき、打設する厚さが異なる場合でも、正確な残数量を算出できるシステムや方法を提供する。【解決手段】  このシステムは、コンクリートの打設対象領域を撮像する撮像手段と、撮像された前記打設対象領域の画像から、コンクリートの打設済領域と未打設領域との境界を抽出する抽出手段と、打設対象領域にコンクリートを打設して構築する躯体に関する躯体情報と、境界の情報とを照合する照合手段と、照合手段の照合結果に基づき、未打設領域に打設するコンクリートの数量を計算する処理手段とを含む。【選択図】  図３
2020045758.tif 000002
【特許請求の範囲】
【請求項１】
コンクリートの打設対象領域を撮像する撮像手段と、
撮像された前記打設対象領域の画像から、コンクリートの打設済領域と未打設領域との境界を抽出する抽出手段と、
前記打設対象領域にコンクリートを打設して構築する躯体に関する躯体情報と、前記境界の情報とを照合する照合手段と、
前記照合手段の照合結果に基づき、前記未打設領域に打設するコンクリートの数量を計算する処理手段と
を含む、コンクリート打設数量計算システム。
【請求項２】
抽出された前記境界の情報を、設定された条件に適合するように補正する補正手段を含み、
前記照合手段は、前記躯体情報と、前記補正手段により補正された前記境界の情報とを照合する、請求項１に記載のコンクリート打設数量計算システム。
【請求項３】
コンクリートを打設する厚さに応じて複数の二次元領域に区分した二次元の躯体情報に該厚さの情報を付加して三次元の躯体情報を生成する生成手段を含み、
前記照合手段は、前記生成手段により生成された前記三次元の躯体情報と、前記境界の情報とを照合する、請求項１または２に記載のコンクリート打設数量計算システム。
【請求項４】
前記撮像手段は、コンクリートを運搬する車両の該コンクリートの打設が終了する毎に撮像し、
前記処理手段は、撮像された各画像につき計算したコンクリートの数量に基づき、最終的に打設するコンクリートの数量を予測し、予め設定されたコンクリートの発注済数量と予測した数量とから、不足分の数量を算出する、請求項１〜３のいずれか１項に記載のコンクリート打設数量計算システム。
【請求項５】
前記車両の出発時刻と、該車両の到着時刻と、該車両のコンクリートの打設終了時刻とを入力する入力手段を含み、
前記処理手段は、入力された前記出発時刻と前記到着時刻とからコンクリートの運搬時間を算出し、入力された前記到着時刻と前記打設終了時刻とから打設速度を算出し、算出した前記運搬時間と前記打設速度とから前記不足分の数量を発注するための最終時刻を算出する、請求項４に記載のコンクリート打設数量計算システム。
【請求項６】
コンクリート構造物を構築する方法であって、
撮像装置によりコンクリートの打設対象領域を撮像するステップと、
情報処理装置により、撮像された前記打設対象領域の画像からコンクリートの打設済領域と未打設領域との境界を抽出するステップと、
前記情報処理装置により、前記打設対象領域にコンクリートを打設して構築する躯体に関する躯体情報と、前記境界の情報とを照合するステップと、
前記情報処理装置により、前記照合するステップでの照合結果に基づき、前記未打設領域に打設するコンクリートの数量を計算するステップと、
計算された数量のコンクリートを前記未打設領域に打設するステップと
を含む、コンクリート構造物の構築方法。
【発明の詳細な説明】
【技術分野】
【０００１】
本発明は、コンクリートの打設数量を計算するシステムおよびコンクリート構造物の構築方法に関する。
【背景技術】
【０００２】
コンクリートを打設する建築現場では、躯体の位置、形状、寸法を示す躯体図を基に、コンクリートを打設する位置のコンクリート打設数量を事前に計算し、この数量に誤差を見込み、調整分を差し引いた数量を連絡待ち数量とし、打設速度とともにコンクリートを製造するプラントに連絡する。これにより、連絡待ち数量に達するまで打設速度に合わせてプラントからコンクリートが出荷され、途絶えることなくコンクリートを打設することができる。
【０００３】
また、出来るだけ連絡待ち数量の打設終了間際に未打設部の数量（残数量）を測定計算し、これを既打設済み数量に加算したものから既に発注している数量を減算して、不足分の数量を調整数量として追加発注する。これにより、余剰のコンクリートの数量を少なくすることができる。
【０００４】
残数量の測定は、巻尺や電卓等を使用して人手で行うと時間がかかり、その精度にも問題があることから、建築現場を撮影し、撮影された画像から残数量を算出する方法（例えば、特許文献１参照。）や、レーザ距離計、三次元レーザスキャナ、レベルセンサ等のセンサを使用して測定を行い、測定結果から残数量を算出する方法（例えば、特許文献２〜４参照。）が提案されている。
【先行技術文献】
【特許文献】
【０００５】
【特許文献１】特開２０１８−０３５５８３号公報
【特許文献２】特開２０１８−０８４１３１号公報
【特許文献３】特開２０１４−１１４６３８号公報
【特許文献４】特開２０１２−１７２３７５号公報
【発明の概要】
【発明が解決しようとする課題】
【０００６】
上記の各センサを使用して残数量を算出する方法は、各センサが高価であることから、安価に残数量を算出することができないという問題があった。これに対し、撮影画像から残数量を算出する方法は、高価なセンサを使用しないので、安価に残数量を算出することができる。
【０００７】
しかしながら、上記の撮影画像から残数量を算出する方法は、鉄筋のマス目の総数を計測するため、マス目が配された未打設領域についてしか残数量を算出することができないという問題があった。また、打設する厚さが異なる場合に、厚さが異なる位置を認識できないため、正確な残数量を算出することができないという問題もあった。
【課題を解決するための手段】
【０００８】
本発明は、上記課題に鑑みてなされたものであり、コンクリートを打設する対象領域を撮像する撮像手段と、
撮像された前記対象領域の画像から、コンクリートの打設済領域と未打設領域との境界を抽出する抽出手段と、
前記対象領域にコンクリートを打設して構築する躯体に関する躯体情報と、前記境界の情報とを照合する照合手段と、
前記照合手段の照合結果に基づき、前記未打設領域に打設するコンクリートの数量を計算する処理手段と
を含む、システムが提供される。
【発明の効果】
【０００９】
本発明によれば、鉄筋のマス目が配されていない未打設領域についても残数量を算出することができ、打設する厚さが異なる場合でも、正確な残数量を算出することができる。
【図面の簡単な説明】
【００１０】
【図１】コンクリートを打設する位置や寸法を示した躯体図。
【図２】コンクリートを打設しているところを例示した図。
【図３】コンクリート打設数量計算システムの第１の構成例を示した図。
【図４】カメラの構成例を示した図。
【図５】PCのハードウェア構成の一例を示した図。
【図６】PCの機能構成の一例を示した図。
【図７】躯体図を３Ｄ表示した例を示した図。
【図８】カメラにより撮像された画像の一例を示した図。
【図９】画像の歪み補正について説明する図。
【図１０】打設済領域と未打設領域との境界を抽出した例を示した図。
【図１１】抽出した境界の補正について説明する図。
【図１２】画像と躯体図を重ね合わせた図。
【図１３】打設数量の差分を計算する方法について説明する図。
【図１４】カメラにより撮像された画像の別の例を示した図。
【図１５】打設されたコンクリートの状態の一例を示した図。
【図１６】コンクリート打設数量計算システムの第２の構成例を示した図。
【図１７】最終的に必要な数量を予測する方法について説明する図。
【図１８】表示装置に表示される画面の一例を示した図。
【図１９】コンクリート構造物を構築する作業の流れを示したフローチャート。
【図２０】コンクリートの打設数量を計算する処理の流れを示したフローチャート。
【発明を実施するための形態】
【００１１】
マンション、病院、学校、商用ビル等の構造物は、床、天井、壁で囲まれた層が積み重なった複数階からなる構造で、各階は、立ち上がりコンクリートを打設することにより構築される。
【００１２】
各階は、立ち上がりコンクリートのうち、柱間を繋ぐ梁の下側（梁底）まで打設され、柱、壁等が構築される。その後、梁や、梁により囲まれた床や天井となるスラブが、コンクリートの打設により同時に構築される。この作業を繰り返すことで、複数階からなるコンクリート構造物が構築される。
【００１３】
このようなコンクリートの打設に際し、その打設により構築する躯体に関する躯体情報として、その位置や寸法を示した躯体図が使用される。図１は、その躯体図の一例を示したものである。図１に示す躯体図は、柱部１０、梁部１１、スラブ部１２を構築するためにコンクリートを打設する位置とその厚さとを示している。この例では、４つの柱部１０を構築するために、矩形に組まれた型枠にコンクリートを厚さ８００ｍｍほど打設し、４つの梁部１１を構築するために、柱部１０の間を繋ぐように組まれた型枠にコンクリートを厚さ６００ｍｍと８００ｍｍほど打設することを示している。また、この例では、４つの梁部１１で囲まれた部分にスラブ部１２を構築するために、その部分にコンクリートを厚さ２００ｍｍほど打設することを示している。
【００１４】
なお、柱部１０、梁部１１、スラブ部１２は、コンクリートを打設するのみであってもよいが、一定以上の強度を得るために鉄筋を配設し、その鉄筋を埋め込むようにコンクリートを打設してもよい。
【００１５】
実際にコンクリートの打設は、図２に示すように型枠２０を組み、固定した後、まだ固まっていないコンクリート（生コンクリート）を搬送する生コンクリート車２１から生コンクリートを荷下ろし、型枠２０内に流し込むことにより行われる。生コンクリートの打設は、例えば生コンクリート車２１から生コンクリートを受け、ポンプにより圧送するポンプ車２２を使用して行うことができる。これは一例であるので、生コンクリートを受けるコンクリートバケットを用い、生コンクリートが収容されたコンクリートバケットをタワークレーン等で吊し、コンクリートバケットから生コンクリートを流し落とすことで、コンクリートを打設してもよい。
【００１６】
生コンクリートは、生コンクリートを構成するセメントと水が反応し、数時間で固まり始めることから、その時間より短い時間内に、運搬し、打設しなければならない。このため、連絡待ち数量と打設スピードを事前に、生コンクリートを製造する工場（プラント）に連絡しておき、プラントから打設スピードに合わせて連絡待ち数量まで生コンクリートが途切れないように順次出荷してもらう。
【００１７】
そして、コンクリートを打設していき、既打設数量に測定計算した残数量を加算したものから、既に発注している数量を減算して不足分の数量を求め、その不足分の数量を調整数量として追加発注する。追加発注する数量は、一般的に、不足が生じないように安全側に割り増しされる。しかしながら、安全を見て余分に発注すると、その分のコストに加えて、余ったコンクリートを処分するためのコストもかかる。
【００１８】
そこで、余分に発注しなくても済むように、正確な残数量を計算することができるシステムについて、図３を参照して説明する。図３に示すコンクリート打設数量計算システムは、画像を撮像する撮像手段もしくは撮像装置として機能するカメラ３０と、カメラ３０と通信を行い、カメラ３０が撮像した画像の画像データを取得し、上記の残りの数量を算出する情報処理装置としてのPC４０とを含んで構成される。
【００１９】
マンションや商用ビル等を建設する場合、敷地が狭く、重機を設置するスペースがないことから、建築に必要な鋼材等を吊り上げ、移動させるために仮設の揚重機であるタワークレーン２３が使用される。タワークレーン２３は、構造物の内部を貫通するように仮設するものと、構造物の外部に仮設するものとがあり、作業が終了すると解体される。
【００２０】
タワークレーン２３は、鉛直方向に延びる脚部（マスト）２４と、材料を吊り上げるクレーン部２５と、クレーン部２５をマスト２４に支持する架台２６とを含んで構成される。クレーン部２５は、腕部（ジブ）と、ジブの先端からワイヤにより吊り下げられ、材料を引っ掛けるためのフックとを含む。架台２６は、昇降可能にする昇降手段と、方向を変えるために回転可能にする旋回体と、クレーンを操縦するための運転室とを含む。タワークレーン２３のクレーン部２５や架台２６は、建築中の構造物の上部へ材料を吊り上げ、移動させるために、建築中の構造物の上部より高い位置となる。
【００２１】
カメラ３０は、コンクリートを打設する対象の領域２７を上方から撮像するために、タワークレーン２３のクレーン部２５や架台２６等に取り付けられる。図３に示す例では、カメラ３０は架台２６に取り付けられている。なお、カメラ３０は、領域２７の全体を撮像できない場合、２台以上設け、２台以上のカメラで領域２７の全体を撮像してもよい。また、カメラ３０を２台以上設ける場合であって、タワークレーン２３が２基以上仮設される場合は、当該２台以上のカメラ３０の全てを１基のタワークレーンに取り付けるのではなく、他のタワークレーンにも分散させて取り付けることができる。
【００２２】
カメラ３０は、タワークレーン２３に限られるものではなく、領域２７の全体を上方から撮像することができれば、近隣の高層マンションや高層ビル等に設置してもよい。また、飛行体としてのドローンに搭載し、ドローンを決まった位置で静止飛行させ、撮像してもよい。
【００２３】
カメラ３０は、図４に示すように、CCD（Charge  Coupled  Device）イメージセンサやCMOS（Complementary  Metal  Oxide  Semiconductor）イメージセンサ等の撮像素子３１と、レンズ３２と、画像処理部３３と、通信部３４と、制御部３５とを含む。撮像素子３１は、レンズ３２を介して入射され、集光された光を電気信号に変換し、画像処理部３３は、ASIC(Application Specific Integrated Circuit)等により構成され、ノイズ除去、階調補正、画像の圧縮や伸張等の処理を行う。これらの処理は、良く知られた処理であるため、ここでは詳述しない。通信部３４は、送受信機を含み、無線通信により画像データをPC４０へ送信する。
【００２４】
制御部３５は、CPUおよびメモリ等により構成され、カメラ３０全体を制御し、画像処理部３３に対して画像処理を行うように指示し、画像処理された画像データをメモリに保存し、通信部３４に対して画像データの送信を指示する。
【００２５】
PC４０は、地上にいる作業員が保持し、カメラ３０から送信された画像データを受信し、画像データの画像を画像処理・解析し、躯体図と照合し（重ね合わせ）、コンクリートの未打設領域に打設するコンクリートの数量（残数量）を算出する。ここでは、躯体図との照合や残数量の計算にPC４０を使用しているが、これらの照合や計算を実行することができるものであれば、PC４０に限られるものではなく、スマートフォンやタブレット端末等であってもよい。
【００２６】
PC４０は、図５に示すように、ハードウェアとして、CPU４１と、ROM４２と、RAM４３と、HDD４４と、通信I/F４５と、入力装置４６と、表示装置４７と、入出力I/F４８とを備える。CPU４１と、ROM４２と、RAM４３と、HDD４４と、通信I/F４５と、入出力I/F４８は、バス４９に接続され、バス４９を介して情報のやりとりを行う。
【００２７】
ROM４２は、PC４０を起動するためのブートプログラムやファームウェア等を記憶する。HDD４４は、OSや各種のアプリケーションプログラムを記憶する。CPU４１は、作業領域としてRAM４３を使用し、ROM４２やHDD４４に記憶された各種のプログラムをRAM４３に読み出し、実行する。CPU４１は、各種のプログラムの実行によりPC４０を制御し、画像データの読み込みから残数量の算出結果の表示までの処理を実行する。
【００２８】
通信I/F４５は、カメラ３０と無線通信を行い、カメラ３０から送信された画像データを受信する。入力装置４６は、キーボード、タッチパッド、マウス等の情報を入力するための装置で、表示装置４７は、ディスプレイ等の情報を表示するための装置である。上記の算出結果は、表示装置４７に表示される。入出力I/F４８は、入力装置４６や表示装置４７をバス４９と接続し、入力した情報をCPU４１に処理させ、処理した結果を表示させる。
【００２９】
PC４０は、CPU４１がHDD４４に記憶されたプログラムを読み出し実行することにより各機能手段を生成し、各機能手段により上記の処理を実現する。このため、PC４０は、各機能手段を備えているということができる。なお、これらの機能手段は、プログラムというソフトウェアに限らず、その一部または全部を回路等のハードウェアで実現されていてもよい。
【００３０】
図６は、PC４０の機能構成の一例を示したブロック図である。PC４０は、機能手段として、少なくとも抽出手段５０と、照合手段５１と、処理手段５２とを含む。PC４０は、そのほか、通信手段５３と、補正手段５４と、生成手段５５と、記憶手段５６とを含むことができる。
【００３１】
記憶手段５６は、図１に示したような、コンクリートを打設する厚さに応じて複数の二次元領域に区分した二次元の躯体情報である躯体図を記憶する。生成手段５５は、記憶手段５６に記憶された躯体図から、各部位の厚さの情報を付加して、図７に示すような三次元の躯体情報としての立体図（３Ｄデータ）を生成する。生成手段５５は、生成した三次元の躯体情報としての立体図を表示装置４７に表示させる。
【００３２】
通信手段５３は、カメラ３０と通信を行い、カメラ３０により撮像された領域２７の画像データを受信する。図８に、カメラ３０により撮像された領域２７の画像を例示する。図８では、まだ生コンクリートが打設されておらず、領域２７に型枠２０のみが設置されているのが示されている。この例では、領域２７の中央に開口部１３を形成するものとしている。
【００３３】
領域２７を真上から撮像できる場合、画像データの画像をそのまま利用することができる。カメラ３０が領域２７の斜め上方に取り付けられている場合、画像データの画像には歪みが生じているため、その画像をそのまま利用することはできない。
【００３４】
そこで、補正手段５４が、画像データの画像を、真上から撮像した画像となるように補正する。斜め上方から撮像された画像は、領域２７の形状が正方形や長方形であっても、歪みが生じ、図９（ａ）に示すように台形となる。この台形を正方形や長方形に修正するべく、台形補正という歪み補正を行うことができる。補正手段５４は、画像上の基準となる位置に点（マーカー）２８を設定し、図９（ｂ）に示す躯体図にも、画像と同じ位置にマーカー２８を設定する。マーカー２８は、画像、躯体図の各々につき、少なくとも４箇所設定する。図９に示す例では、領域２７の４隅にマーカー２８を設定している。
【００３５】
補正手段５４は、設定したマーカー２８を基に、縦方向および横方向に伸縮させる等して、歪みを補正する。図９（ｃ）は、補正後の画像を示している。
【００３６】
抽出手段５０は、通信手段５３が受信した画像データの画像、もしくは補正手段５４により補正された画像から、コンクリートの打設済領域と未打設領域との境界を抽出する。境界は、例えば画像を構成する画素の色情報（色調、階調）に基づき抽出することができる。具体的には、第１の画素の色情報がコンクリートとして認識される色情報の範囲内にあり、その隣の第２の画素の色情報がその範囲外である場合、第１の画素と第２の画素の間を境界として抽出することができる。
【００３７】
境界は、複数の点として抽出されるが、近似アルゴリズムを使用して、その点の数を減らすことができる。近似アルゴリズムとしては、例えばDouglas-Peuckerアルゴリズムを使用することができる。このアルゴリズムは、許容距離を決定し、２つの点を繋ぐ直線からその間にある最も遠い点を探し、直線からその点までの距離が許容距離より遠い場合、その点を残し、許容距離より近い場合、その点を廃棄し、点を間引いていく方法である。
【００３８】
図１０は、抽出手段５０により境界を抽出した例を示した図である。図１０中、斜線部が打設済領域６０で、斜線のない部分が未打設領域６１である。境界は、点同士を直線で繋ぎ、複数の優角および劣角を含む線として表される。優角は、１点から延びる２つの半直線が作る角のうち、１８０°より大きい方の角で、劣角は、１８０°より小さい方の角である。領域２７には、作業を行う作業員、鉄骨、開口部１３等が存在する。これらは、コンクリートの色とは異なる色であるため、それらの周りがコンクリート打設済であっても、境界として抽出されてしまう。
【００３９】
このように抽出された境界は、図１１（ａ）に示すように、多角形や、劣角のうち４５°以下の角度、または優角のうち３１５°以上の角度となって現れることが多い。図１１（ａ）に示す例では、丸で囲まれた１点から延びる直線がなす角が４０°の角度で示されている。
【００４０】
そこで、補正手段５４は、設定された条件として、コンクリートの打設済領域が周りを取り囲むもの、および劣角のうち４５°以下の角度もしくは優角のうち３１５°以上の角度となるものをなくすように、これらを削除する補正を行う。このように設定された条件に適合するように補正した境界を、図１１（ｂ）に示す。図１１（ｂ）では、４０°の角度を作る点と２本の直線を削除し、それら２本の直線が接続されていた２つの点を直接直線で繋いでいる。補正手段５４は、補正すべき箇所が存在する場合のみ、このような補正を行う。
【００４１】
照合手段５１は、抽出手段５０により抽出された境界または補正手段５４により補正された境界と、躯体図とを重ね合わせ、未打設領域の、柱部１０、梁部１１、スラブ部１２といった各部位の寸法や厚さ等を調べる。図１２は、境界を示していないが、画像と躯体図とを重ね合わせているところを示している。照合手段５１は、躯体図と重ね合わせる際、台形補正した後の画像を適宜拡大または縮小し、当該画像を躯体図の倍率に合わせることができる。なお、躯体図を画像に合わせて拡大または縮小してもよい。
【００４２】
躯体図は、各部位に対するコンクリートの打設厚さhの情報を持っている。また、画像を構成する画素１つに対応する面積が予め求められている。このため、処理手段５２は、未打設領域６１を構成する画素の数を計数して、未打設領域６１の面積を部位の厚さh毎に算出する。
【００４３】
面積の算出方法としては、上記の画素の数を計数する方法のほか、打設済領域６０と未打設領域６１との境界線６２を示す直線または曲線を近似式で表し、幅または奥行きの長さで積分する方法を用いることができる。このため、躯体図は、水平方向の幅や奥行きの長さの情報を含むことができる。この方法は一例であるので、面積を算出することができれば、これまでに知られたいかなる方法でも採用することができる。
【００４４】
未打設領域６１の面積は、部位の厚さ毎に算出することができるため、厚さ２００ｍｍの面積、厚さ６００ｍｍの面積、厚さ８００ｍｍの面積という３つの部位の面積が算出される。処理手段５２は、部位ごとに算出した面積にその部位の厚さを乗算し、各部位につき得られた数量の和を求めることにより残数量を計算する。処理手段５２は、表示装置４７に、計算した残数量を表示させる。
【００４５】
処理手段５２は、カメラ３０により領域２７が撮像される毎に残数量を計算することができるが、その都度残数量を計算してもよいし、撮像される毎に差分を計算し、その差分から残数量を計算してもよい。
【００４６】
具体的には、処理手段５２は、領域２７に打設すべきコンクリートの数量を計算し、カメラ３０により領域２７が撮像される毎に打設数量の差分を計算する。処理手段５２は、任意の時刻における残数量を、領域２７に打設すべきコンクリートの数量からそれまでに得られた打設数量の差分の合計を減算することにより計算する。
【００４７】
差分は、図１３（ａ）に示すような第１の時刻tに撮像された画像７０と、図１３（ｂ）に示すような第２の時刻t+1に撮像された画像７１とから、状況が変化した箇所を認識することにより、図１３（ｃ）に示すような差分画像７２を得る。差分画像７２には、その間に打設されたコンクリート以外に、移動する物体として、作業員７４や、作業員７４が作業を行うために持つポンプ配管７５等が含まれる。このため、これらの移動物体を除去し、図１３（ｄ）に示すようなコンクリートの変化部分のみの差分画像７３を得る。
【００４８】
処理手段５２は、差分画像７３におけるコンクリート部分の画像を構成する画素の数を計数し、打設数量の差分を計算する。
【００４９】
ところで、コンクリートを打設する領域２７には、作業員等の未打設領域６１の面積を算出するために障害となる障害物が存在し、カメラ３０で撮像した画像において未打設領域６１の一部が障害物に隠れる場合がある。２台以上のカメラ３０を使用して撮像する場合は、あるカメラから隠れた部分は、別のカメラで撮像することができる。カメラ３０が１台である場合は、即座に障害物を取り除いて取り直しが可能なときは、障害物を取り除いて再度撮像し、障害物を取り除くことが困難なとき、あるいは取り除くことができないときは、隠れた部分の周囲の画像から、隠れた部分が打設済みか、未打設か、一部が打設されているかを判定し、一部が打設されている場合、その周囲の画像から、どの程度打設されているかを予測することができる。
【００５０】
例えば、図１４に示すような画像が得られた場合、障害物７６に隠れた部分のコンクリートの打設状況は、障害物７６によって途切れた、打設済領域６０と未打設領域６１の境界線６２を、破線で示すように滑らかに繋ぎ合わせることにより、どの程度打設されているかを予測することができる。
【００５１】
また、生コンクリート車１台の荷下ろしが終了し、打設したときの画像は、上方から撮像するので、図１５（ａ）に示すように、境界線６２に近い打設領域６０の領域６３は、実際に躯体図のその部位の厚さhまで打設していなくても、その厚さhまで打設したように撮像されてしまう。領域６３は、境界線６２から破線までの領域である。
【００５２】
そこで、領域６３については、図１５（ｂ）の切断線A-Aで切断した断面図のように、コンクリートを打設していく方向Bに向けて一定の勾配が形成されているものとし、方向Bへの領域６３の長さCの半分まで、躯体図のその部位の厚さhで打設されたものとして、残数量を算出することができる。これにより、より正確な残数量を算出することができる。
【００５３】
作業員は、PC４０の表示装置４７に表示された結果を確認し、既打設数量に測定計算した残数量を加算したものから既に発注している数量を減算して不足分の数量を求め、その不足分の数量を調整数量（追加発注数量）とし、追加発注することができる。
【００５４】
型枠の中には、鉄筋等があり、コンクリート中に埋め込まれるため、計算数量と打設数量には必ず誤差が生じる。カメラ３０での画像の撮像およびPC４０でのコンクリートの残数量の算出は、調整数量の誤差を減らすため、終了間際に実施することができるが、誤差の傾向をつかみ、その傾向に基づき、最終数量を決定するため、生コンクリートの荷下ろしが終了するたびに撮像を行い、残数量を算出することができる。そして、最終的に打設する全体数量を算出して、設計時の全体数量と比較し、その差を誤差として検出することができる。
【００５５】
PC４０は、残数量を算出し、その結果を表示するだけではなく、プラントの出荷情報や現場での打設情報を管理し、現場の打設スピードや運搬時間等を表示装置４７にリアルタイムで表示させることができる。
【００５６】
これを実現するために、コンクリート打設数量計算システムは、図１６に示すように、カメラ３０とPC４０のほか、さらに通信端末８０と入力手段として機能する情報入力装置８１、８２とを備えることができる。通信端末８０は、生コンクリートを運搬する生コンクリート車２１の運転手が所持するスマートフォン等で、情報入力装置８１、８２は、通信端末８０をかざすことで、通信端末８０をかざした時間等を入力する。情報入力装置８１、８２は、通信端末８０が保持する生コンクリートに関する情報を読み取り、その情報を入力することも可能である。生コンクリートに関する情報としては、例えば出荷数量、コンクリートの組成等を挙げることができる。
【００５７】
運転手は、現場に到着した時と打設が終了した時に通信端末８０を、現場に設置された情報入力装置８１にかざすことで、到着時刻と打設終了時刻を入力する。情報入力装置８２は、プラントに設置され、運転手は、プラントから出発する時に通信端末８０を情報入力装置８２にかざし、出発時刻を入力する。
【００５８】
情報入力装置８１、８２は、PC４０と接続され、PC４０は、情報入力装置８１、８２に入力された出発時刻、到着時刻、打設終了時刻の情報を取得し、これらの情報から打設スピードや運搬時間を算出する。算出された打設スピードや運搬時間は、残数量の算出結果とともに表示装置４７に表示される。
【００５９】
PC４０、情報入力装置８１、８２は、例えばネットワーク８３に接続され、PC４０は、ネットワーク８３を介して情報入力装置８１、８２と通信し、上記の情報を取得することができる。ネットワーク８３は、有線ネットワークであっても、無線ネットワークであってもよい。また、ネットワーク８３は、１つのネットワークであってもよいし、ルータやプロキシサーバ等の接続機器により接続された２以上のネットワークであってもよい。
【００６０】
図１７は、誤差の傾向をつかみ、その傾向に基づき、最終的に必要な数量を予測する方法について説明する図である。１台目の生コンクリート車２１から生コンクリートを、ポンプ配管７５を介して供給し、図１７（ａ）の打設部位（１）に打設する。実打設数量は、生コンクリート車２１が運搬した量にほぼ等しく、１台分の４ｍ３となるはずであるが、梁下までの立ち上がり打設にも使用されているため、図１７（ｂ）に示すように実打設数量は不明である。
【００６１】
次に、２台目から５台目までの４台の生コンクリート車２１から生コンクリートを供給し、図１７（ａ）の打設部位（２）に打設する。実打設数量は、４台分の１６ｍ３である。このときの差分として計算された計算数量は、図１７（ｂ）に示すように１６ｍ３より多い１６．２４ｍ３となっている。そのときの誤差比率は、実打設数量を計算数量で除し、百分率で表した値で、９８．５％となっている。
【００６２】
実際の建物のコンクリート躯体の中には、鉄筋、設備配管、電気配線、仮設金物等の埋設物が存在する。このため、コンクリートの数量を正確に計算するには、図面上の面積×高さにより得られる体積から、これらの埋設物の体積を差し引かなければならない。しかしながら、これらの埋設物の体積を事細かに計算することは困難である。また、これらの埋設物以外にも、型枠の変形等の要因もある。これらの要因を計算に取り込むため、誤差比率というパラメータを導入し、その誤差比率の傾向を導き出し、それを計算数量に反映することで最終的に必要なコンクリートの数量を予測する。
【００６３】
そこで、６台目から９台目まで、１０台目から１３台目までの計算数量、誤差比率を同様に計算する。また、これまでに計算した計算数量と、躯体図から得られる打設すべきコンクリートの数量とを用い、残数量としての打設部位（５）の計算数量を求める。ここでは、１３．２１ｍ３と算出されている。
【００６４】
打設部位（５）の実打設数量は、打設部位（５）につき計算された計算数量と、これまでに算出された誤差比率とから予測される。すなわち、図１７（ｂ）に示すように計算数量に誤差比率を乗算して予測値として計算することができる。
【００６５】
誤差比率は、打設部位（２）〜（４）の３つ得られ、例えばそれらの平均値を採用することができる。予測値は、誤差比率が小さくなるほど小さくなり、実際に必要な数量に対して不足する可能性が高くなっていく。このため、誤差比率は、平均値より、３つの中の最も大きい値を採用することが望ましい。図１７に示す例では、３つの中で最も大きい値（９９．２％）を採用している。
【００６６】
図１７に示す例では、計算数量に最も大きい誤差比率を乗じて１３．１ｍ３と計算され、その値を実打設数量として用いることができるが、余裕を見るために０．５ｍ３単位で切り上げ、予測値を１３．５ｍ３としている。ここでは、０．５ｍ３単位で切り上げているが、これに限られるものではなく、小数点以下を切り上げてもよい。
【００６７】
図１８は、表示装置４７に表示される結果の画面の一例を示した図である。表示装置４７に表示される項目としては、躯体図を基に算出される設計時の全体数量（当初計算数量）、連絡待ち数量、算出された残数量、プラントから出発した生コンクリート車２１の台数から得られる出荷済数量、荷下ろしした生コンクリート車２１の台数から得られる打設済数量、打設済数量と残数量との和として得られる予測最終数量、算出された打設スピードおよび運搬時間等が挙げられる。
【００６８】
図１８では、時間と数量との関係を示すグラフを表示し、時間は、出荷を開始した時点を０とし、打設開始A、現在の時点B等が示され、また、各時点における数量が示される。数量としては、当初計算数量、連絡待ち数量も示される。現在の時点Bまでに既に出荷された出荷済数量や打設済数量が実線で示される。また、打設済数量に残数量を加算して得られた予測最終数量も実線で示される。
【００６９】
実線で示されたこれまでの時間と打設済数量との関係から、現在の打設スピードで連絡待ち数量まで打設したときの終了時間（連絡待ち数量終了時間）Dが決定される。終了時間Dから運搬時間を差し引いた時間が、最遅追加発注時間Cとして算出される。
【００７０】
最遅追加発注時間Cは、その時間までに調整数量を発注すれば、運搬時間を考慮して、途切れることなくコンクリートを最後まで打設することが可能となる最終的な時間である。したがって、時間Cを超えると、コンクリートの到着待ち時間が発生することになる。
【００７１】
予測最終数量は、生コンクリート車の荷下ろしが終了する毎に計算され、グラフに示される。図１８では、現在の時点Bで、当初計算数量より多くなっており、現在の時点Bでの予測最終数量と連絡待ち数量との差が、現在の時点Bでの追加発注数量となる。
【００７２】
予測最終数量は、打設開始Aから現在の時点Bまで一定の割合で当初計算数量より増加しており、その傾向から、最遅追加発注時間Cにおける最終数量を予測することができる。図１８の例では、予測最終数量は、当初計算数量より増加しているが、減少する場合もある。予測した最遅追加発注時間Cでの最終数量と連絡待ち数量との差が、最遅追加発注時間Cでの追加発注数量となる。
【００７３】
画面には、各数量を把握しやすくするため、数字で、連絡待ち数量、予測最終数量、追加発注数量、最遅追加発注時間が表示される。予測最終数量および追加発注数量は、最遅追加発注時間Cでの予測最終数量および追加発注数量である。図１８に示す例では、発注済数量が７３ｍ３とされ、予測最終数量が７６ｍ３、追加発注数量が３ｍ３、最遅追加発注時間Cが１５時３２分と算出され、表示されている。
【００７４】
図１９は、コンクリート打設数量計算システムを用いて、コンクリート構造物を構築する作業の流れを示した図である。ステップ１００から作業を開始し、ステップ１０１で作業員が領域２７にコンクリートの打設を開始する。作業員は、型枠を組み、ポンプ配管７５を打設位置まで引き回し、生コンクリート車２１から生コンクリートをポンプにて供給し、各型枠内に所定の高さまでコンクリートを打設する。コンクリートは、４つの隅部を有する矩形領域の１つの隅部から対角線上の隅部へ向けて放射状に打設していくことができる。コンクリートの打設は、生コンクリートを連続して供給し、連続的に打設してもよいし、途中、一時停止しながら打設してもよい。
【００７５】
ステップ１０２では、生コンクリート車２１が荷下ろしを終了したか、すなわち生コンクリート車２１が運搬してきた生コンクリートを全て打設したかを判断する。打設したかどうかは、運転手が打設終了時に時間の入力があり、PC４０がその入力を受け付けたかどうかにより判断することができる。
【００７６】
ステップ１０３では、PC４０からカメラ３０に撮像を要求し、カメラ３０でコンクリートを打設する対象の領域２７を撮像する。ステップ１０４では、撮像した画像を画像データとしてカメラ３０からPC４０へ送信する。ステップ１０５では、PC４０が、受信した画像に基づき、コンクリートの打設が不要か否かを判断する。すなわち、PC４０は、画像データを受信し、画像データの画像を解析し、未打設領域６１が存在するか否かにより、コンクリートの打設が必要か否かを判断する。
【００７７】
打設済領域６０と未打設領域６１とは、例えば色や鉄筋の有無等により判別することができる。打設済領域６０は、ほぼ均一に灰色で、未打設領域６１は、鉄筋が見え、均一な灰色ではないからである。なお、打設済領域６０と未打設領域６１を判別することができれば、その他の方法を採用してもよい。
【００７８】
ステップ１０５でコンクリートの打設が必要と判断した場合、ステップ１０６へ進み、画像と躯体図とを使用してコンクリートの残数量を計算する。計算後、ステップ１０２へ戻り、次の生コンクリート車２１の荷下ろしが終了するのを待つ。
【００７９】
ステップ１０５で、コンクリートの打設が不要と判断した場合、未打設領域６１がないことから、ステップ１０７へ進み、生コンクリートの供給を停止し、コンクリート構造物の構築作業を終了する。
【００８０】
図１６は、図１５のステップ１０６のコンクリートの残数量を計算する処理の詳細な流れを示した図である。ステップ２００から処理を開始し、ステップ２０１では、画像の歪み補正を行い、ステップ２０２で、補正後の画像から、コンクリートの打設済領域６０と未打設領域６１との境界を抽出する。ステップ２０３では、抽出された境界の情報を補正し、ステップ２０４では、躯体図と境界の情報とを照合し、未打設領域６１の各部位の画素数を調べ、各部位の厚さの情報を取得する。
【００８１】
ステップ２０５では、照合結果としての上記の取得した情報に基づき、未打設領域６１の面積を、部位の厚さ毎に算出する。そして、ステップ２０６で、厚さ毎に算出された面積に各厚さを乗算し、得られた各値を加算して、コンクリートの残数量を算出する。そして、ステップ２０７へ進み、残数量の計算処理を終了する。
【００８２】
本実施形態のシステムや方法は、コンクリートの打設中、瞬時に残数量を算出することができるため、実際の打設済数量を決定する時、例えば荷下ろしが終了したときとの時間的な差が生じることはなく、数量誤差が発生しない。また、PC４０で計算するため、人的なミスは発生せず、コンクリートの余剰や不足も発生することがなくなる。
【００８３】
また、誤差の傾向をつかみ、その傾向に基づき、最終終了を決定できるため、安全を見て余分に発注する必要がなくなる。
【００８４】
さらに、瞬時に残りの打設数量を算出することができるため、打設スピードが速くても対応可能となり、ストレスなく、２台以上の生コンクリート車から同時に荷下ろし打設することができる。
【００８５】
これまで本発明のシステムおよび方法について図面に示した実施形態を参照しながら詳細に説明してきたが、本発明は、上述した実施形態に限定されるものではなく、他の実施形態や、追加、変更、削除など、当業者が想到することができる範囲内で変更することができ、いずれの態様においても本発明の作用・効果を奏する限り、本発明の範囲に含まれるものである。
【符号の説明】
【００８６】
１０…柱部
１１…梁部
１２…スラブ部
２０…型枠
２１…生コンクリート車
２２…ポンプ車
２３…タワークレーン
２４…マスト
２５…クレーン部
２６…架台
２７…領域
３０…カメラ
３１…撮像素子
３２…レンズ
３３…画像処理部
３４…通信部
３５…制御部
４０…PC
４１…CPU
４２…ROM
４３…RAM
４４…HDD
４５…通信I/F
４６…入力装置
４７…表示装置
４８…入出力I/F
４９…バス
５０…抽出手段
５１…照合手段
５２…処理手段
５３…通信手段
５４…補正手段
５５…生成手段
６０…打設済領域
６１…未打設領域
６２…境界線
７０、７１…画像
７２、７３…差分画像
７４…作業員
７５…ポンプ配管
７６…障害物
８０…通信端末
８１、８２…情報入力装置
【図１】
2020045758.tif 000003
【図２】
2020045758.tif 000004
【図３】
2020045758.tif 000005
【図４】
2020045758.tif 000006
【図５】
2020045758.tif 000007
【図６】
2020045758.tif 000008
【図７】
2020045758.tif 000009
【図８】
2020045758.tif 000010
【図９】
2020045758.tif 000011
【図１０】
2020045758.tif 000012
【図１１】
2020045758.tif 000013
【図１２】
2020045758.tif 000014
【図１３】
2020045758.tif 000015
【図１４】
2020045758.tif 000016
【図１５】
2020045758.tif 000017
【図１６】
2020045758.tif 000018
【図１７】
2020045758.tif 000019
【図１８】
2020045758.tif 000020
【図１９】
2020045758.tif 000021
【図２０】
2020045758.tif 000022